(57)【要約】【課題】記録シートの先端を重送防止部材に向けて確実に搬送することができる構成を備えたシート給送装置を提供する。【解決手段】載置板１１Ａ上に積載されたシートを繰り出すためのシート給送装置であって、上記載置板１１Ａに載置されているシートのうちの最上位のものに当接可能な繰り出しローラ１２と、上記載置板１１Ａにおけるシート繰り出し側近傍に配置されて上記繰り出しローラ１２に向けて押圧付勢されているガイド部材１３とを備え、上記ガイド部材１３は、上記シートの繰り出し方向に沿って上記載置板１１Ａ側から順次収束可能な楔状空間を構成する傾斜面を有し、該傾斜面は、上記シートの繰り出し方向に沿って前方側から順に、上記シート先端下面との間の角度が９０度未満となる角度を有した受け部Ｌ１と、該受け部Ｌ１に連続して上記繰り出しローラ１２により繰り出されたシートのうちで最上位のものをその下方のシートから分離した状態で繰り出す重送分離部Ｌ２とを備えていることを特徴としている。【選択図】  図３
2004307200.tif 000002
【特許請求の範囲】
【請求項１】
載置板上に積載されたシートを繰り出すためのシート給送装置であって、
上記載置板上から繰り出されたシートの先端を当接させる受け面を有し、受け面は、上記シートの繰り出し方向の移動力を利用して該シートに下降方向の分力を生じさせない形状を備えていることを特徴とするシート給送装置。
【請求項２】
請求項１記載のシート給送装置において、
上記受け面は傾斜面で構成され、該傾斜面は上記シート先端下面との間の角度が９０度未満となる角度を持たせて構成されていることを特徴とするシート給送装置。
【請求項３】
載置板上に積載されたシートを繰り出すためのシート給送装置であって、
上記載置板に載置されているシートのうちの最上位のものに当接可能な繰り出しローラと、
上記載置板におけるシート繰り出し側近傍に配置されて上記繰り出しローラに向けて押圧付勢されているガイド部材とを備え、
上記ガイド部材は、上記シートの繰り出し方向に沿って上記載置板側から順次収束可能な楔状空間を構成する傾斜面を有し、該傾斜面は、上記シートの繰り出し方向に沿って前方側から順に、上記シート先端下面との間の角度が９０度未満となる角度を有した受け部と、該受け部に連続して上記繰り出しローラにより繰り出されたシートのうちで最上位のものをその下方のシートから分離した状態で繰り出す重送分離部とを備えていることを特徴とするシート給送装置。
【請求項４】
請求項３記載のシート給送装置において、
上記傾斜面における受け部と重送分離部とは異なる角度を有し、上記受け部は、上記シートの移動力を利用して上記重送分離部に向けて該シートを上昇移動させる角度に設定され、上記重送分離部は、上記シートの移動力を利用して一枚分の通過を許容する量だけ上記ガイド部材をこれに対する押圧付勢に抗して上記繰り出しローラとの間に隙間を形成できる分力を発生させることができる角度に設定されていることを特徴とするシート給送装置。
【請求項５】
請求項３または４記載のシート給送装置において、
上記受け部は、上記シートの繰り出し方向先端下面との間の角度が上記重送分離部と上記シートの繰り出し方向先端下面との間の角度よりも小さくなる傾斜面で構成されていることを特徴とするシート給送装置。
【請求項６】
請求項３または４記載のシート給送装置において、
上記受け部は、上記重送分離部の表面において上記シートの繰り出し方向前方側に一体化されて設けられていることを特徴とするシート給送装置。
【請求項７】
請求項３乃至６のうちの一つに記載のシート給送装置において、
上記受け部は、上記シートの繰り出し方向と直角な方向で連続若しくは間欠的な部分として上記重送分離部の表面における上記シートの繰り出し方向前方側に設けられていることを特徴とするシート給送装置。
【請求項８】
請求項３乃至７のうちの一つに記載のシート給送装置において、
上記受け部と重送分離部とが交差する境界部は曲率を有した面で連続していることを特徴とするシート給送装置。
【請求項９】
請求項１乃至８のうちの一つに記載のシート給送装置において、
上記シートを積載可能な載置板には、該シートの繰り出し方向後端にシートの後端規制部材が近接して設けられていることを特徴とするシート給送装置。
【請求項１０】
請求項１乃至９のうちの一つに記載のシート給送装置を用いることを特徴とする画像形成装置。
【発明の詳細な説明】
【０００１】
【発明が属する技術分野】
本発明は、シート給送装置および画像形成装置に関し、さらに詳しくは、カセット内で積載されている転写紙などの記録シートを繰り出す際の繰り出し不良を防止する構成に関する。
【０００２】
【従来の技術】
複写機やプリンタあるいはファクシミリ装置や印刷機などの画像形成装置においては、画像形成処理部において形成された画像を転写紙などの記録シートに転写されて記録出力を得ることができる。
【０００３】
例えば、プリンタの場合で説明すると、潜像担持体である感光体に対して形成された静電潜像が現像装置により可視像処理され、可視像がシート給送装置から繰り出される記録シートに対して転写されるようになっている。
【０００４】
シート給送装置には、積載収容している記録シートを繰り出すための構成が設けられており、その一例としては、記録シートを積載可能な載置板と載置板上の記録シートにおける最上位のものに当接して繰り出し可能な方向に回転する繰り出しローラとを主要部として備えた構成が知られている（例えば、特許文献１）。
【０００５】
一方、載置板上に積載されている記録シートは、繰り出しの際に最上位のもののみを繰り出すようにして重送を防止することが行われる必要があり、このための構成としては、記録シートの繰り出し方向前方に最上位の記録シートのみが通過可能な隙間を形成することができる構成を備えたゲート部材を設け、該ゲート部材により最上位の記録シートの下方に位置する記録シートの進行を阻止して重送を防止する構成（例えば、特許文献１）、あるいは、繰り出しローラに対してクサビ形状の収束空間を持たせる角度を有して当接可能なさばきパッドとさばきパッドの前方に記録シートをさばきパッドに突き当てるためのガイド部材を設け、ガイド部材により先端を下方に向けて迂回させた記録シートをさばきパッドに当接させて捌いた後収束空間を移動する記録シートのうちの最上位のもののみを繰り出しローラにより繰り出すようにした構成（例えば、特許文献２）がある。
【０００６】
【特許文献１】
特開平８−９１６１２号公報（段落「００１２」欄、図１）
【特許文献２】
特開２００２−２２６０７３号公報（段落「００１８」欄、図３）
【０００７】
【発明が解決しようとする課題】
載置板から繰り出される記録シートは、裁断により先端にバリが生じているものや裏紙などのように再使用されるものなど多種ある。特に曲げ癖（カール癖）が付いてしまっている記録シートが繰り出される場合には、載置板から繰り出された記録シートの先端が垂れ下がったままで移動すると、特許文献２に示されているようなさばきパッドに突き当たった際に移動を阻止されてしまい、搬送不良を発生することがある。つまり、さばきパッドに記録シートの先端が突き当たる角度によって記録シートが進行できなくなることがあり、特に、さばきパッドの傾斜面に対して直角な方向から記録シートの先端が突き当たると進行のための分力が発生しないことにより移動を阻止されてしまう。
【０００８】
記録シートの移動が阻止される原因の一つに記録シートの先端が垂れ下がることが挙げられる。
記録シートの先端が垂れ下がる場合としては、先に挙げた曲げ癖（カール癖）に加えて記録シート間に発生する摩擦力があり、摩擦力は記録シートの表面状態の違いが影響する。つまり、再利用などの場合には、未使用の記録シートと違って記録シートの一面が画像面となっており、画像面と非画像面とが対向して積載されている。このため、未使用記録シートの繰り出し時での記録シート間での摩擦力と再利用される記録シート間での摩擦力とはその表面状態が異なることが原因して異なっており、繰り出しローラの回転量を同じにした場合での繰り出し位置が異なることがある。この結果、繰り出し量が未使用の記録シートを基準として設定されている場合には、再利用対象の記録シートの繰り出し時には、記録シート間での摩擦力が未使用の記録シートの場合よりも大きくなることにより記録シートの先端位置が異なり、具体的には、摩擦パッドあるいはさばきパッドに突き当たる位置に到達しないで先端が垂れ下がる現象が発生し易い。
【０００９】
図８は、理想的な記録シートの繰り出し状態を示す図であり、同図において、符号Ａは繰り出しローラであり、符号Ｂは、一部が繰り出しローラＡの周面に当接し、この当接面に至る面が傾斜面とされることでクサビ形状の空間部を構成しているさばきパッドに相当する傾斜部材である。
【００１０】
積載されている記録シートＳは、繰り出しローラＡとの接触位置における接線方向に繰り出されるようになっており、図８は、記録シートＳに対する繰り出しローラＡの接触位置が、その接触位置と繰り出しローラＡの中心とを結ぶ線（符号Ｐ１で示す線）が記録シートＳの繰り出し方向を水平方向に一致する接線が得られる位置である場合を示している。この場合には、記録シートＳの先端が傾斜部材Ｂの傾斜面Ｂ１に突き当たると、その傾斜面を利用した分力が発生することで傾斜面Ｂ１を記録シートＳが進行することができる。なお、図８では、水平方向の繰り出しを行う場合を例示したが、給送形態によっては、水平方向以外の方向を繰り出し方向とすることもある。
【００１１】
一方、図９は、記録シート（便宜上、図後湖となる記録シートであるとして符号Ｓ’で示す）に曲げ癖（カール癖）が生じている場合を示しており、この場合には、記録シートＳ’の表面に当接する繰り出しローラＡの位置は、図８に示したＰ１とは異なる位置となる。つまり、記録シートＳはその表面に接触する繰り出しローラＡの周面に発生する接線方向に繰り出されることから、図１０に示すように、曲げ癖が生じている記録シートＳ’における接線方向が図８に示した水平方向とは異なることになる。このため、図９において符号Ｐ２で示す位置で繰り出しが行われることになり、結果として、繰り出しローラＡの回転量に基づく繰り出し量を図８に示した場合と同じにすると、記録シートＳ’の先端は傾斜部材Ｂの傾斜面Ｂ１に対して図８に示した場合よりも下方に突き当たることになる。
【００１２】
図９において符号αで示す、記録シートＳ’の先端下面と傾斜部材Ｂの傾斜面Ｂ１との間の角度が相当する突き当て角度が傾斜面Ｂ１に対して直角あるいはこれ以上の角度となると、繰り出しローラＡによる繰り出しが行われた場合に記録シートＳ’は傾斜面Ｂ１に押圧されるだけで傾斜面Ｂ１に沿って繰り出しローラＡ側に向けて進行することがなく、これにより、搬送不良を起こすことになる。
【００１３】
傾斜部材Ｂの傾斜面Ｂ１に対する突き当て位置が変化する場合としては、記録シートの繰り出し方向後端の規定状態の違いも挙げられる。つまり、記録シートは積載された状態でその繰り出し方向後端が後端規制部材、いわゆる、エンドフェンス等により規定され、分離の際の戻り現象が発生したときの後端位置の変化を防止される場合があるが、積載時に記録紙の繰り出し方向後端の位置が不揃いであったりすると、繰り出しローラによる繰り出し量が一定であることが原因してその繰り出し方向先端の位置が不揃いとなり、傾斜部材の傾斜面に対する突き当て角度が上述した９０度あるいはそれ以上の角度になることがある。記録シートの先端が垂れ下がる原因には、傾斜部材の傾斜面に到達していない場合の重力および記録シートの曲げ剛性、いわゆる腰の強さが影響することもある。
【００１４】
本発明の目的は、上記従来のシート給送装置における問題鑑み、記録シートの先端を重送防止部材に向けて確実に搬送することができる構成を備えたシート給送装置および画像形成装置を提供することにある。
【００１５】
【課題を解決するための手段】
請求項１記載の発明は、載置板上に積載されたシートを繰り出すためのシート給送装置であって、上記載置板上から繰り出されたシートの先端を当接させる受け面を有し、受け面は、上記シートの繰り出し方向の移動力を利用して該シートに下降方向の分力を生じさせない形状を備えていることを特徴としている。
【００１６】
請求項２記載の発明は、請求項１記載の発明に加えて、上記受け面は傾斜面で構成され、該傾斜面は上記シート先端下面との間の角度が９０度未満となる角度を持たせて構成されていることを特徴としている。
【００１７】
請求項３記載の発明は、載置板上に積載されたシートを繰り出すためのシート給送装置であって、上記載置板に載置されているシートのうちの最上位のものに当接可能な繰り出しローラと、上記載置板におけるシート繰り出し側近傍に配置されて上記繰り出しローラに向けて押圧付勢されているガイド部材とを備え、上記ガイド部材は、上記シートの繰り出し方向に沿って上記載置板側から順次収束可能な楔状空間を構成する傾斜面を有し、該傾斜面は、上記シートの繰り出し方向に沿って前方側から順に、上記シート先端下面との間の角度が９０度未満となる角度を有した受け部と、該受け部に連続して上記繰り出しローラにより繰り出されたシートのうちで最上位のものをその下方のシートから分離した状態で繰り出す重送分離部とを備えていることを特徴としている。
【００１８】
請求項４記載の発明は、請求項３記載の発明に加えて、上記傾斜面における受け部と重送分離部とは異なる角度を有し、上記受け部は、上記シートの移動力を利用して上記重送分離部に向けて該シートを上昇移動させる角度に設定され、上記重送分離部は、上記シートの移動力を利用して一枚分の通過を許容する量だけ上記ガイド部材をこれに対する押圧付勢に抗して上記繰り出しローラとの間に隙間を形成できる分力を発生させることができる角度に設定されていることを特徴としている。
【００１９】
請求項５記載の発明は、請求項３または４記載の発明に加えて、上記受け部は、上記シートの繰り出し方向先端下面との間の角度が上記重送分離部と上記シートの繰り出し方向先端下面との間の角度よりも小さくなる傾斜面で構成されていることを特徴としている。
【００２０】
請求項６記載の発明は、請求項３または４記載の発明に加えて、上記受け部は、上記重送分離部の表面において上記シートの繰り出し方向前方側に一体化されて設けられていることを特徴としている。
【００２１】
請求項７記載の発明は、請求項３乃至６のうちの一つに記載の発明に加えて、上記受け部は、上記シートの繰り出し方向と直角な方向で連続若しくは間欠的な部分として上記重送分離部の表面における上記シートの繰り出し方向前方側に設けられていることを特徴としている。
【００２２】
請求項８記載の発明は、請求項３乃至７のうちの一つに記載の発明に加えて、上記受け部と重送分離部とが交差する境界部は曲率を有した面で連続していることを特徴としている。
【００２３】
請求項９記載の発明は、請求項１乃至８のうちの一つに記載の発明に加えて、上記シートを積載可能な載置板には、該シートの繰り出し方向後端にシートの後端規制部材が近接して設けられていることを特徴としている。
【００２４】
請求項１０記載の発明は、請求項１乃至９のうちの一つに記載のシート給送装置を画像形成装置に用いることを特徴としている。
【００２５】
【発明の実施の形態】
以下、図面により本発明の実施の形態を説明する。
図１は、本発明の実施形態によるシート給送装置が適用される画像形成装置が示されており、図１に示す画像形成装置１は、本体筐体１Ａの縦方向中央に位置する画像形成処理部Ｓ１を境に上方には原稿走査部Ｓ２および書込部Ｓ３が配置され、下方には給紙部Ｓ４がそれぞれ配置されている。
画像形成処理部Ｓ１には、潜像担持体としてドラム状の感光体２が設けられており、感光体２の周囲には、矢印で示す感光体の回転方向に沿って画像形成処理を実行するための帯電装置３，現像装置４，転写装置５およびクリーニング装置６がそれぞれ配置されている。感光体２上に形成された静電潜像が現像装置４により可視像処理されたうえで給紙部Ｓ４から給送される記録シートＳに対して転写される。
【００２６】
転写を終えた記録シートＳの搬送路には、ベルトを用いた搬送装置７および定着装置８がそれぞれ配置されており、記録シート上に担持された可視像が定着装置８により定着された後、排紙トレイ９に向けて排出される。
【００２７】
図１に示す画像形成装置１では、記録シートの両面に画像形成する構成が採用されており、定着装置８を通過した記録シートの搬送路として、排紙トレイ９に向けた排紙路ＥＰと、定着装置８を通過した後、一旦反転経路に導入した後に、再度、給紙部Ｓ２に設けられているレジストローラ１０に向けて反転した状態で記録シートＳを再給送する再循環路ＲＰとが設けられており、これら各搬送路への入り口には、図示しないが搬送路切換爪などの切換部材が設けられて搬送方向を選択できるようになっている。
【００２８】
原稿走査部Ｓ２には、詳細を説明しないが、原稿載置台上に載置された原稿を走査するための光学系装置が備えられ、書込部Ｓ３には、詳細を説明しないが、レーザ光源を用いた走査光学部材が装備されている。
【００２９】
一方、給紙部Ｓ４には、画像形成装置１の本体をなす筐体に設けられたカセット装着部に着脱可能に設けられて記録シートＳを積載可能な載置板１１Ａを内部に備えた給紙カセット１１と、載置板１１Ａ上に積載された記録シートＳのうちの最上位のものと当接可能で繰り出し方向に回転可能な繰り出しローラ１２と、繰り出しローラ１２に対して当接する向きに押圧付勢されているガイド部材１３と載置板１１Ａから繰り出された記録シートＳをレジストローラ１０に向けて給送する給送コロ１４とが設けられている。
【００３０】
給紙カセット１１が着脱可能に設けられるカセット装着部には、図２に示すように、上述した繰り出しローラ１２，ガイド部材１３が設けられている。
図２においてカセット装着部は、給紙カセット１１の四方外周囲を囲繞可能な壁部および底部を備えており、それら壁部のうちで記録シートＳの繰り出し側の壁部（便宜上、符号１Ａ０で示す）には、凹状部からなるガイド部材１３の装着部１Ａ１が設けられている。
【００３１】
ガイド部材１３の装着部１Ａ１は、載置板に積載される記録シートの繰り出し方向と直角な方向に相当する幅方向中央部に設けられており、凹部両側には後述するガイド部材１３の装着ガイドレール１Ａ２が形成されており、ガイド部材１３側に有するリブ１３Ａを挿通させることができるようになっている。
【００３２】
ガイド部材１３は、下方に延長されて延長方向先端に一対の係止爪１３Ｂを備え、係止爪１３Ｂと同じ側に配置されるスプリングなどの弾性体１４により繰り出しローラ１２に向けて押圧付勢されるようになっている。
【００３３】
係止爪１３Ｂの基部側に相当するガイド部材１３の上部には、図３に示すように、記録シートＳの繰り出し方向（図示矢印方向）に沿って載置板側から順次収束可能な楔状空間ＥＳを構成する傾斜面が設けられており、傾斜面は記録シートの繰り出し方向前方側から順に受け部Ｌ１および重送分離部Ｌ２がそれぞれ形成されている。
【００３４】
受け部Ｌ１の表面、つまり受け面は記録シート先端下面との間の角度（α）が９０度未満となる角度（β）を持たせて傾斜させて構成されており、記録シートＳの先端を当接させることができる部分とされている。角度（β）は、重送分離部Ｌ２の表面を基準としての値である。このため、繰り出された記録シートＳは、受け部Ｌ１の表面、つまり受け面に先端が当接すると、先端下面と受け部Ｌ１の表面（受け面）との間の角度（α）が９０度未満であるので、図４（Ｂ）に示すように、９０度で突き当たった場合のような衝止される状態や、図４（Ｃ）に示すように、９０°以上の角度（便宜上、符号α’で示す）の面に突き当たる場合のように下降方向の分力（便宜上、符号ＦＤで示す）を生起する状態と違って、図４（Ａ）に示すように、上昇方向の分力（便宜上、符号ＦＵで示す）が生起されることで受け部Ｌ１Ｂの表面（受け面）に沿って上昇移動することができ、受け部Ｌ１に連続している重送分離部Ｌ２に到達することができる。
【００３５】
一方、受け部Ｌ１に連続する重送分離部Ｌ２は、繰り出された記録シートの重送を解消する部分であり、その表面の傾斜角度（θ）が、記録シートＳの繰り出し方向を基準とした場合に、受け部Ｌ１よりも記録紙先端下面との間の角度（図９において符号αで示した角度）が大きくなる角度に設定されている。これにより、重送分離部Ｌ２に突き当たった記録シートＳの先端は、受け部Ｌ１よりも重送分離部Ｌ２の表面と記録シート先端下面との間の角度が大きくなっていることにより、図４（Ｃ）に示した状態に相当することとなり、重送分離部Ｌ２の表面を下降させる分力が生起されると共に、ガイド部材１３に作用している弾性体１４による押圧付勢力に抗する分力ＦＳが生起される。この結果、ガイド部材１３は、最上位の記録シートが通過できる隙間分だけ繰り出しローラ１２から離れることができる。
【００３６】
一方、最上位の下方に位置する２枚目の記録シートは、これの下方に位置する記録シートとの間の摩擦負荷の影響を受けて最上位の記録シートに対する繰り出し力よりも弱い繰り出し方向の力が発生することになる。従って、繰り出し力からの分力のうちで、ガイド部材１３に作用している弾性体の押圧付勢力を減じる方向の分力が生じるものの、最上位の記録シートの繰り出し力により発生する弾性体の押圧付勢力を減じる力よりも小さいためにガイド部材１３を押し下げて２枚目の記録シートを通過させるだけの力には至らない。この結果、最上位の記録シートのみがガイド部材１３を通過し、２枚目以降の重送状態にある記録シートは最上位の記録シートから分離されることになる。
【００３７】
受け部Ｌ１と重送分離部Ｌ２とが交差する境界部ＬＰの位置は、図５に示す条件で設定される。
図５において、符号Ｍ０は未使用の記録シートが積載されている場合（図５中、実線で示す状態）の繰り出し量であり、符号Ｍ１は未使用の記録シートが積載されているときの繰り出しローラ１２との当接位置Ｐ１から記録シート先端までの距離であり、符号Ｍ２は未使用の記録シートが最後の１枚（図５中、符号Ｓ’で示す二点鎖線が相当）として繰り出される際（図５中、二点鎖線で示す応対）の繰り出しローラ１２との当接位置Ｐ１から記録シート先端までの距離である。
【００３８】
繰り出しローラ１２との当接位置Ｐ１から記録シート先端までの距離が異なる理由は載置板の構造にあり、載置板は、図示しないが、給紙カセット１１の内部で揺動可能に支持されており、記録シートの繰り出し側を弾性体により押し上げられて繰り出しローラに向けて押圧付勢されている。このため、積載枚数がある程度ある場合と最後の一枚とでは載置板の揺動位置が異なることになり、これによって上述した繰り出しローラ１２との当接位置Ｐ１から記録シート先端までの距離が変化する。従って、積載されている場合の記録シートの繰り出し量Ｍ０に対応するように繰り出しローラ１２の回転量を規定した場合には、最後の１枚の記録シートを対象とした繰り出し量は上記Ｍ０で示した量以下となり、ガイド部材１３の傾斜面に達しないことになる。この結果、最後の１枚の記録シートの先端は重力により垂れ下がることになる。換言すれば、積載時での記録シートにおける繰り出しローラ１２との当接位置Ｐ１から先端までの距離Ｍ１と同じ距離を確保するには、最後の１枚の記録シートに対する繰り出しローラ１２の当接位置が符号Ｐ２で示す位置にずれた状態とすることが必要となり、これは、図９，１０に示した場合と同様な現象となる。
【００３９】
本実施形態では、最後の１枚の記録シートが繰り出される場合と同様に、記録シートの先端がガイド部材１３の傾斜面に達しないで垂れ下がるのを受け止めることができる位置に受け部Ｌ１の表面が位置しているように境界部ＬＰが位置決めされている。これにより、先端が垂れ下がる記録シートは、未使用の記録シートあるいは曲げ癖（カール癖）が付いているような記録シートのいずれにおいても、図４において説明したように、受け部Ｌ１に当接した際の移動力を利用して先端を上昇移動させることになる。このような作用を有効に機能させるためには、記録シートの繰り出し側先端とガイド部材１３における受け部Ｌ１の末端部との間の間隔（図５中、符号Ｍ３で示す）を可能な限り接近させて記録シートの曲げ剛性の違いによる垂れ下がり量の違いが少なくなるようにすることが望ましい。
【００４０】
ガイド部材１３に設けられている受け部Ｌ１は、重送分離部Ｌ２の表面に重畳されて設けられており、その設置構造としては、重送分離部Ｌ２における記録シートの繰り出し方向前側の表面に一体化されている。
【００４１】
また、一体化構造としては、図６に示すように、記録シートの繰り出し方向と直角な方向に相当する記録シートの幅方向で連続させた構成あるいは図７に示すように、間欠的な部分に相当するリブ構造として設けた構成とされる。このような構成は、使用される記録シートに発生する摩擦抵抗を適正化することに寄与する。
【００４２】
上述したガイド部材１３における受け部Ｌ１と重送分離部Ｌ２との境界部ＬＰは、各部が交差するエッジ部で構成することに限らず、曲率を有する面として構成し、受け部Ｌ１から移動する記録シートの先端が方向を急変させるのでなく緩やかに移動の向きを変化させるようにして交差位置である境界部ＬＰにおいてつっかえたりしないようにすることが搬送性を悪化させないうえで望ましい。
【００４３】
本実施形態は以上のような構成であるから、載置板に積載されている記録シートが繰り出されると、記録シートの先端が垂れ下がる場合には、その先端がガイド部材１３の受け部Ｌ１に当接することにより記録シートの移動力を利用して受け部Ｌ１において上昇移動する分力が生起されることになり、これにより、記録シートの先端が受け部Ｌ１に沿って上昇移動して重送分離部Ｌ２に到達することができる。
この結果、未使用の記録シートが最後の１枚の時の繰り出し時あるいは曲げ癖が付いている記録シートの繰り出し時のいずれにおいても、図５において説明したように、未使用の記録シートの積載枚数が多い場合のように、繰り出しローラ１２の当接位置Ｐ１での接線方向が得られないでその接線方向と異なる方向に繰り出されてガイド部材１３における重送分離部Ｌ２に到達しない状態で先端が垂れ下がるような繰り出し量が得られてしまう場合でも、先端の進行を継続させて上昇させることができ、重送分離部Ｌ２での分離機能を得ることができる。
【００４４】
【発明の効果】
請求項１記載の発明によれば、シートの先端を当接させる受け面が該シートに下降方向の分力を生じさせないようになっているので、シート先端が垂れ下がった場合に発生する受け面との先端との衝止現象をなくして受け面に沿った進行を行わせることができる。これにより、シート先端が突き当たった際に発生する進行阻止を防止して搬送不良を防止することが可能となる。
【００４５】
請求項２記載の発明によれば、受け面にシート先端下面との間の角度が９０度未満となる角度を持たせてあるので、シートの移動力を利用してシート先端を起上させやすくすることができる。これにより、シート先端が受け面に突き当たった場合でも進行を阻止されることなく移動させて搬送不良を防止することが可能となる。
【００４６】
請求項３および４記載の発明によれば、載置板におけるシート繰り出し側近傍に配置されて繰り出しローラに向け押圧付勢されてシート繰り出し方向に沿って載置板側から順次収束可能な楔状空間を構成する傾斜面を有したガイド部材においてシート先端下面との間の角度が９０度未満となる角度を有した受け部とこれに連続してシートの重送を解消する重送分離部とを備えることにより、シート先端を垂れ下がらすことなく重送分離部に向けて移動させることができる。これにより、受け部に突き当たるシート先端を重送分離部に向けて確実に上昇移動移動させることができるので、シートの重送を確実に防止できると共に、重送分離のためのシートの移動を保証することが可能となる。
【００４７】
請求項５記載の発明によれば、受け部が重送分離面に対してシート先端下面との間の角度を小さくしているので、シート先端の起上しやすさを高めて重送分離部への導入を確実にすることが可能となる。
【００４８】
請求項６記載の発明によれば、受け部が重送分離部の表面において繰り出し方向前方側に一体化されているので、特別な別部材とすることなく重送分離部と共に製造することが可能となり、多機能部分を低コストにより得ることが可能となる。
【００４９】
請求項７記載の発明によれば、受け部が重送分離部の表面における繰り出し方向と直角な方向で連続若しくは間欠的に設けてあるので、シートとの間の摩擦抵抗を適正化してシートの搬送抵抗を低減する形態を選択することが可能となる。
【００５０】
請求項８記載の発明によれば、受け部と重送分離部とが交差する境界部は曲率を有した面としてあるので、搬送抵抗の発生を押さえて受け部に沿って移動したシートを重送分離部に向けて円滑に移動させることが可能となる。
【００５１】
請求項９記載の発明によれば、載置板におけるシート繰り出し方向後端側にシートの繰り出し方向後端を規制する後端規制部材が設けられているので、シートの後端を規制することで受け部に達するまでのシートの繰り出し量を一様化することができると共に、後端規制部材にシートの後端が整合していない場合でもシート先端が受け部により垂れ下がらない状態を設定できるので重送分離部に向けた移動を確保することが可能となる。
【００５２】
請求項１０記載の発明によれば、シート先端が垂れ下がることなく受け面あるいは受け部に沿って移動できる構成を備えていることにより垂れ下がった場合に発生するシート先端の衝止現象による搬送不良をなくして重送分離などの処理を確実に行うことが可能となる。
【図面の簡単な説明】
【図１】本発明の実施形態によるシート給送装置が用いられる画像形成装置の一例を示す模式図である。
【図２】図１に示した画像形成装置における給紙部に備えられているガイド部材の設置構造を説明するための斜視図である。
【図３】本発明の実施形態によるシート給送装置に用いられるガイド部材の主要部構成を説明するための模式図である。
【図４】図３に示した主要部の構成によるシート給送作用と主要部の構成と異なる場合のシート給送作用とを説明するための図であり、（Ａ）は本発明の実施形態による場合を、（Ｂ）、（Ｃ）は実施形態と異なる場合をそれぞれ示している。
【図５】図３に示したガイド部材に設けられている受け部と重送分離部との境界部の構成を説明するための図である。
【図６】図３に示したガイド部材に設けられている受け部の設置状態の一つを示す斜視図である。
【図７】図３に示したガイド部材に設けられている受け部の設置状態の他の例を示す斜視図である。
【図８】記録シートの給送装置に関する従来例を示す図である。Ｄ
【図９】図８に示した従来構造における不具合を説明するための図である。
【図１０】図８に示した従来構造における変形シートの作用を説明するための図である。
【符号の説明】
１  画像形成装置
１１  給紙カセット
１１Ａ  載置板
１１Ｂ  後端規制部材
１２  繰り出しローラ
１３  ガイド部材
Ｌ１  受け部
Ｌ２  重送分離部
【図１】
2004307200.tif 000003
【図２】
2004307200.tif 000004
【図３】
2004307200.tif 000005
【図４】
2004307200.tif 000006
【図５】
2004307200.tif 000007
【図６】
2004307200.tif 000008
【図７】
2004307200.tif 000009
【図８】
2004307200.tif 000010
【図９】
2004307200.tif 000011
【図１０】
2004307200.tif 000012